(57)【要約】【課題】カメラの重心位置は、レンズの交換の都度、三脚またはペデスタル上に搭載するスタジオアダプタの位置を工具を用いて、変更する必要がある。その場合、三脚またはペデスタル上の支持ユニットとスタジオアダプタ部を取り外す。そして、支持ユニットを、スタジオアダプタ部の重心位置に移動後、再度、三脚またはペデスタル上にスタジオアダプタ部を取り付けていた。このように、レンズ交換作業では、カメラの運用開始までの手順が多く、かつ時間がかかっていた。また、大重量なので、作業者が一人では対応できなくなっていた。【解決手段】スタジオアダプタの下に支持ユニットとして重心位置移動ユニットを設け、スタジオアダプタの重心変更位置のために、レバーによりＶエッジの取り付いたユニットを移動させることで重心位置を変更する。【選択図】図３
2010266744.tif 000002
【特許請求の範囲】
【請求項１】
カメラ本体とスタジオアダプタ部とを備え、レンズ部を交換するカメラ装置のスタジオアダプタ用支持ユニットであって、前記スタジオアダプタ部の底部に、前記カメラ装置の光軸方向に平行な２つのスライドガイドと、該２つのスライドガイドによって前記光軸方向に移動可能なスライドベースと、該スライドガイドに固定され、三脚またはペデスタル上固定可能なＶエッジ部と、前記スライドベースと前記２つのスライドガイドとを着脱可能なスライドロッドとを備えたことを特徴とするスタジオアダプタ用支持ユニット。
【発明の詳細な説明】
【技術分野】
【０００１】
本発明は、スタジオアダプタに関わり、特に放送用若しくは業務用ポータブルカメラの重心移動機構を備えた支持ユニットに関する。
【背景技術】
【０００２】
従来から、放送用カメラ若しくは業務用カメラに使用するポータブルカメラを、スタジオタイプにビルドアップさせて使用することがなされていた。ポータブルカメラをスタジオ用カメラとして運用する場合には、図１に示すように、レンズを大型のレンズに取替えて使用することが多い。図１は、レンズの違いによる重心位置の変化を説明するためのカメラ全体の図である。１０１はスタジオアダプタ部、１０２はポータブルカメラ部、１０３はペデスタル部、１０４はビューファインダ（ＶＦ）部、１０６はＶエッジ部１０３とスタジオアダプタ部１０１と固定するためのネジ、１１１と１１２はレンズ部、１２０は光軸である。Ｇ１１とＧ１２はカメラ全体の重心位置である。
図１（ａ）はスタジオ用に大型のレンズ部１１１を取り付けた場合のカメラを示す図で、上側が側面図、下側が底面図である。また図１（ｂ）はポータブル用の小型レンズ１１２を取り付けた場合のカメラを示す図で、上側が側面図、下側が底面図である。ただし、図１（ａ）（ｂ）共に、底面図にはレンズ部１１１及び１１２の図示を省略している。
なお、Ｖエッジ部１０３は、カメラを三脚又はペデスタル上に固定するための接続用部材（支持ユニット）である。
また、図１（ａ）及び図１（ｂ）は、カメラの光軸１２０が水平面（若しくは地平線）に平行で、光軸１２０を横切る垂直面が重力方向（若しくは高さ方向）に平行な状態で図示されている。
【０００３】
図１（ａ）と図１（ｂ）とを比較すると分かるように、大型のレンズ部１１１が取り付けられたカメラは、重心位置Ｇ１１がカメラ前面側にあり、小型のレンズ部１１２が取り付けられたカメラは、重心位置Ｇ１２がカメラ背面側にある。即ち、大型のレンズ部１１１が取り付けられたカメラの場合には、ポータブルカメラ１０２の前部と重心位置Ｇ１１の距離Ｗ１１は、小型のレンズ部１１２が取り付けられたカメラの場合のポータブルカメラ１０２の前部と重心位置Ｇ１２の距離Ｗ１２より小さい（Ｗ１１＜Ｗ１２）。
上述のように、取り付けるレンズの大小によって重心位置が著しく変化する。放送用カメラ、産業用カメラを問わず、重心位置がずれ、バランスが悪いカメラを使用して、パン及びチルトの操作性やカメラ自体の移動に対する操作性が悪くなり、撮影の大きな障害となる。
【０００４】
従って、レンズを交換したことによるバランスの調整作業が必要となる。この場合、三脚又はペデスタルの上側のスタジオアダプタ部１０１を取り外し、三脚又はペデスタルとの接続用に使用されているＶエッジ部１０３の取り付け位置を、スタジオアダプタ部１０１の重心の移動に応じて変更する必要がある。
例えば、図１（ａ）において、ネジ１０６を外すことによって（矢印ａ１）、Ｖエッジ部１０３がスタジオアダプタ部１０１から取り外される（矢印ａ２の先のＶエッジ部１０３ａ）。そして、背面側に移動させ（矢印ａ２の先のＶエッジ部１０３ｂ）る。次に、図１（ｂ）において、ネジ１０６によって、Ｖエッジ部１０３がスタジオアダプタ部１０１に取り付けられる（矢印ａ５）。
このように、ネジ１０６を取り外すことによって、スタジオアダプタ１０１から、Ｖエッジ部１０３を取外す。その後、ネジ１０６を取り付けることによって、Ｖエッジ部１０３を別の位置に移動してスタジオアダプタ１０１に取り付ける（矢印ａ４）。
【０００５】
このように、Ｖエッジ部１０３の取り付け位置の変更のために、工具を用いてＶエッジ部１０３の取り外しと取り付け作業を行って、所望のスタジオアダプタ１０１の位置にＶエッジ部１０３を移動させる。
Ｖエッジ部１０３の移動時には、移動作業のし易さに配慮してＶエッジ部１０３から上側の重量を軽減する。このため、スタジオアダプタ部１０１よりカメラ部１０２とＶＦ部１０４を取り外してから、Ｖエッジ部１０３の移動作業を行う。
即ち、Ｖエッジ部１０３を、スタジオアダプタ部１０１の重心変更位置（Ｇ１１からＧ１２、またはＧ１２からＧ１１）に移動させた後、スタジオアダプタ部１０１を、三脚またはペデスタル上にＶエッジ部１０３を介して積載及び固定し、カメラ部１０２、及びＶＦ部１０４を接続する。
その結果、Ｖエッジ部１０３を移動する位置、即ち、Ｖエッジ部１０３取り付け位置は、レンズが大型（レンズ部１１１）の場合には図１（ａ）に示すような位置とし、レンズが小型（レンズ部１１２）の場合には、図１（ｂ）に示すような位置となる。
【先行技術文献】
【特許文献】
【０００６】
【特許文献１】特開平９−２６５１３１号公報
【特許文献２】特開２００７−１２４００８号公報
【発明の概要】
【発明が解決しようとする課題】
【０００７】
上述のように、ポータブルカメラの運用形態に応じて取り付けるレンズを交換する。しかし、レンズの交換によって、カメラの重心位置が著しく変化する。従って、レンズ交換の都度、工具を用いて、三脚またはペデスタル上の支持ユニット（Ｖエッジ部）とスタジオアダプタ部を取り外す。そして、Ｖエッジ部を、レンズ交換後のスタジオアダプタ部の重心位置に移動後、再度、三脚またはペデスタル上にスタジオアダプタ部を取り付けていた。
そのため、レンズ交換を伴う場合には、カメラの運用開始までの手順が多くなり、かつ時間がかかっていた。また、重量の大きなスタジオアダプタ部の脱着作業が必要で、作業者が一人では対応できなくなっていた。
また特許文献１には、バランスウエイトを取り付け、重心移動に応じてバランスウエイトの位置を移動させる技術が記載されている。また、特許文献２には、カメラの重心位置を変更するために、第２のハンドルを設け、取り付けたり外したりすることでバランス位置を変更する技術が開示されている。しかし、特許文献１及び特許文献２では、バランスウエイトを付加する分、カメラが重くなる問題があった。
本発明は、上記の問題に鑑み、スタジオアダプタ部に容易にカメラを装着させることで、素早く切替え運用ができるスタジオアダプタを提供することを目的とする。
【課題を解決するための手段】
【０００８】
上記目的を達成するために、本発明は、スタジオアダプタの下に支持ユニットとして重心位置移動ユニットを設け、スタジオアダプタの重心位置変更のために、レバーによりＶエッジの取り付いたユニットを移動させることで重心位置を変更するものである。
即ち、本発明のスタジオアダプタ用支持ユニットは、カメラ本体とスタジオアダプタ部とを備え、レンズ部を交換するカメラ装置のスタジオアダプタ用支持ユニットであって、前記スタジオアダプタ部の底部に、前記カメラ装置の光軸方向に平行な２つのスライドガイドと、該２つのスライドガイドによって前記光軸方向に移動可能なスライドベースと、該スライドガイドに固定され、三脚またはペデスタル上固定可能なＶエッジ部と、前記スライドベースと前記２つのスライドガイドとを着脱可能なスライドロッドとを備えたものである。
【発明の効果】
【０００９】
本発明によれば、工具を用いず、容易にかつ迅速に、三脚またはペデスタル上にスタジオアダプタ部を乗せたまま、重心位置の変更が可能となった。また作業も複数人ではなく、カメラマン等、作業者１人で変更可能となった。
【図面の簡単な説明】
【００１０】
【図１】レンズの違いによる重心位置の変化を説明するためのカメラを示す図である。
【図２】本発明の一実施例のスタジオアダプタ用支持ユニットを使用したカメラを説明するための図である。
【図３】本発明の一実施例のスタジオアダプタ用支持ユニットを使用したカメラを説明するための図である。
【発明を実施するための形態】
【００１１】
以下、添付図面を参照しながら本発明の実施形態を詳細に説明する。なお、各図の説明において、従来の技術を説明した図１を含め、同一の機能を有する構成要素には同一の参照番号を付し、重複を避けるため、できるだけ説明を省略する。
以下、図２と図３を用いて本発明の一実施例を説明する。
図２及び図３は、カメラの光軸１２０が水平面（若しくは地平線）に平行で、光軸１２０を横切る垂直面が重力方向（若しくは高さ方向）に平行な状態で図示されている。
【００１２】
図２及び図３は、本発明のスタジオアダプタ用支持ユニットの一実施例を使用したカメラを説明するための図である。２０１はスタジオアダプタ部、２０３は重心位置移動ユニット、２１４は重心位置移動ユニット２０３のスライド溝部、３１５はスライド溝部２１４のＬインデックスホール、３０３はＶエッジ部、３０３’は移動後のＶエッジ部、３０６はＬスライドガイド、３０７はＲスライドガイド、３０９はスライドベース、３１０はレバー、３１１はインデックスロッド、３１２と３１２’はインデックスロッド３１１に組み込まれたロッドスプリング、３１３はロッド連結板、３１４はＲインデックスホール、３１６はインデックスロッド３１１の先端部、３１７はインデックスロッド３１１の後端部、３２０はスライド連結部、３３０はインデックスロッド３１１の中心線である。図２（ａ）は、スタジオ用に大型のレンズ部１１１を取り付けた場合のカメラの側面図、図２（ｂ）は、スタジオ用に大型のレンズ部１１１を取り付けた場合のカメラの底面図、図２（ｃ）は、スタジオ用に大型のレンズ部１１１を取り付けた場合のカメラの背面図である。重心位置移動ユニット２０３は、本発明の一実施例のスタジオアダプタ用支持ユニットである。
【００１３】
図３（ａ）は、図２で示したカメラの重心位置移動ユニット２０３を詳細に説明するための図である。図３（ａ）は図２（ａ）と同一の側面図である。図３（ｂ）は、図２（ｂ）と同一の図で、重心位置移動ユニット２０３を詳細に説明するための底面図である。図３（ｃ）は図２（ｃ）と同様に本発明のカメラの背面図で、重心位置移動ユニット２０３を詳細に説明するために、スライドベース３０９、Ｌスライドガイド３０６、Ｒスライドガイド３０７、及びＶエッジ部３０３を断面構造で示した図である。図３（ｄ）は、図３（ｃ）の重心位置移動ユニット２０３において、インデックスロッド３１１が移動可能な状態を拡大した断面図、図３（ｅ）は、図３（ｃ）の重心位置移動ユニット２０３において、インデックスロッド３１１が固定された状態を拡大した断面図である。
なお、三脚またはペデスタルとの接続用に使用されるＶエッジ部３０３は、従来と同形状、同寸法で良い。
【００１４】
本発明のスタジオアダプタ用支持ユニット一実施例である重心位置移動ユニットについて、図２と図３を用いて説明する。
図２（ａ）に示すように、本発明のスタジオアダプタ用支持ユニット（即ち、重心位置移動ユニット２０３）は、スタジオアダプタ２０１の底面部に取り付けられる。
重心位置移動ユニット２０３は、少なくとも、スライドベース３０９、Ｌスライドガイド３０６、Ｒスライドガイド３０７、複数のインデックスロッド３１１、複数のロッドスプリング３１２、ロッド連結板３１３、及び、レバー３１０で構成される。
なお、Ｖエッジ部３０３とスライドベース３０９とは、予め相互に動かないように固定されるか若しくは一体化構造となっている。
また、ロッドスプリング３１２は、中心線３３０を中心軸として、光軸１２０と直角かつ水平面に平行に設けられる。
【００１５】
重心位置移動ユニット２０３においては、まず、Ｌスライドガイド３０６及びＲスライドガイド３０７は、長手方向（スライド方向）が光軸１２０と平行に、スタジオアダプタ部２０１の底面に固定して設けられる。そして、２つのスライドガイド３０６、３０７の前後方向（カメラの前面方向と背面方向：矢印ａ２方向）にスライドするように、上下方向に平行な板状のスライドベース３０９が設けられている。本実施例では、スライドベース３０９は、２つのスライドガイド３０６、３０７の間に設けられる。例えば、スライドベース３０９と２つのスライドガイド３０６、３０７は、例えば、真直誤差の少ないリニアガイド構造である。また、スライドベース３０９は、図２（ｃ）や図３（ｄ）に示すように、Ｌスライドガイド３０６及びＲスライドガイド３０７とは上下方向にも真直誤差の少ないスライド連結部３２０のような、凹凸状の連結構造を備える。なお、凹凸の形状が逆であっても良い。
【００１６】
図２（ａ）若しくは図３（ａ）に示すように、スライドベース３０９は、インデックスロッドの中央部（先端部３１６と後端部３１７の間の部分）の細い直径部分が前面と背面間を移動可能で、十分な真直度が得られる寸法であって、断面が“ロ”の字状若しくは長方形状の貫通穴であるスライド溝部２１４が設けられる。
なお、Ｒスライドガイド３０７及びＬスライドガイド３０６には、スライドベース３０９に設けられたものと同一の形状及び寸法の断面が“ロ”の字状若しくは長方形状の貫通穴２１４が設けられている。
【００１７】
そして、Ｌスライドガイド３０６は、上記スライド溝部２１４に加え、インデックスロッド３１１を所定の間隔で挿入可能な（中央部より大なる）太さを有する。この所定の間隔は、例えば２つの間に、レンズ部１１１若しくは１１２が取り付けられた場合の重心位置Ｇ１１若しくはＧ１２があるように設けられる。
このＬスライドガイド３０６及びＲスライドガイド３０７それぞれに設けられているインデックスホールを通して、インデックスロッド３１１と、ロッドスプリング３１２が挿入される。
インデックスロッド３１１の先端部３１６は、中央部より太く、先端になるほど徐々に細くするように設ける。また、ロッドスプリング３１２は、例えば、圧縮コイルばねで、一方の端がインデックスロッド３１１の先端部３１６と中央部との境目（首部）に固定され、他方の端がスライドベースに固定され、インデックスロッド３１１が、矢印ｂ１方向に移動すると、矢印ｂ２方向にインデックスロッド３１１を移動するように荷重がかかる。
なお、図２、図３のロッドスプリングの位置は、一実施例であって、どこでも良い。また、圧縮コイルばねではなく、引っ張りコイルばねを用い、インデックスロッドを押すことで、スライドベースとスライドガイドとのロック（固定）が外れるようにしても良い。
【００１８】
Ｒスライドガイド３０７のインデックスロッド３１１が挿入されるスペース（Ｒインデックスホール３１４）には、インデックスロッド３１１の先端部３１６の形状に合わせて、インデックスロッド３１１が、所定の位置で停止するように徐々に細くなるような断面形状を備える。
Ｌスライドガイド３０６も、Ｒスライドガイド３０７と同様に、インデックスロッド３１１が挿入されるスペース（Ｌインデックスホール３１５）には、インデックスロッド３１１の先端部３１６の形状に合わせて、インデックスロッド３１１が、所定の位置で停止するように徐々に細くなるような断面形状を備える。
【００１９】
図２（ｂ）若しくは図３（ｂ）に示すように、インデックスロッド３１１は、前後に２つ挿入されるように設けられ、それぞれのＬスライドガイド３０６側の端部若しくは頭部は、ロッド連結板３１３で接続されている。
また、ロッド連結板にさらに、レバー３１０が取り付けられ、作業者が容易に引っ張ることができるように設けられる。なお、好ましくは、レバー３１０は、不要時には取り外すことができる。
【００２０】
大型のレンズ（レンズ部１１１等）が取り付けられた場合には、重心位置がカメラの前面側にある（図１参照）ため、三脚またはペデスタルに接続するためのＶエッジ部３０３は、図２（ｂ）、若しくは図３（ｂ）に示すように、カメラの前面側の重心位置（Ｇ１１）の近傍でスタジオアダプタ２０１と重心位置移動ユニット２０３を介して固定される。
図３（ｅ）は、作業者がレバー３１０から手を放した場合、インデックスロッド３１１が、ばねの力によって、矢印ｂ２の方向に移動し、少なくとも２本のインデックスロッド３１１が、スライドベース３０９、Ｌスライドガイド３０６、及びＲスライドガイド３０７を、それぞれ固定していることを示している。
【００２１】
次に、大型のレンズ（レンズ部１１１等）から小型のレンズ（レンズ部１１２等）に取り替える場合には、重心位置がカメラの背面側にある（図１参照）。従って、三脚またはペデスタルの接続のため、図２（ｂ）の破線で示すように、Ｖエッジ部３０３’は、カメラの背面側の重心位置（Ｇ１２）の近傍でスタジオアダプタ２０１と重心位置移動ユニット２０３を介して固定される。
図３（ｄ）は、作業者がレバー３１０を引いた場合で、インデックスロッド３１１が、矢印ｂ１の方向に移動し、少なくとも２本のインデックスロッド３１１が、スライドベース３０９、Ｌスライドガイド３０６、及びＲスライドガイド３０７から解放され、移動可能な状態となったことを示している。
この状態で、作業者は、スタジオアダプタ２０１とその上部に搭載されたカメラ等を背面側に移動させることができる。スライドガイド３０６及び３０７並びにスライドベース３０９は、リニアガイド構造であるため、作業者は、容易に移動が可能である。
そして作業者は、所定の位置に移動後、レバー３１０を引くことをやめることで、インデックスロッド３１１が、圧縮ばね３１２の力で矢印ｂ２方向に移動する、その結果、スライドガイド３０６及び３０７が、スライドベース３０９と固定される。
【００２２】
即ち、上記実施例によれば、スライドベース３０９には、カメラの左右方向に平行（前後方向に垂直で、かつ上下方向に平行）に貫通する穴（“ロ”の字状）を設ける。また、Ｒスライドガイド３０７には、スライドベース３０９の貫通する穴に加え、Ｒインデックスホール３１４を設け、かつ、Ｒインデックスホール３１４と光軸１２０に線対称な位置のＬスライドガイド３０７には貫通するＬインデックスホール３１５を設ける。このＲインデックスホール３１４とＬインデックスホール３１５に、インデックスロッド３１１を通す（挿入する）ことで、カメラの左右方向の他、前後方向にも、Ｖエッジ部３０２とスタジオアダプタ部１０１とが、重心位置移動ユニット２０３によって固定される。
インデックスロッド３１１は、先端部３１６がＲスライドガイド３０７のＲインデックスホール３１４まで移動して停止するように構成され、後端部３１７がＬスライド３０６のＬインデックスホール３１５まで移動して停止するように構成されている。即ち、先端部３１６と後端部３１７は、断面形状の少なくとも一方が、前進方向（矢印ｂ１方向）に徐々に細い形状としている。この結果、図３（ｅ）に示すように、レバー３１０が矢印ｂ１方向に押されて移動することで、少なくとも２本のインデックスロッド３１１が、スライドベース３０９、Ｌスライドガイド３０６、及びＲスライドガイド３０７を、それぞれ固定するものである。なお、レバー３１０は、少なくとも２つあるインデックスロッド３１１をすべて一度に操作するために、ロッド連結板３１３によって連結固定されている。
【００２３】
その結果、作業者は、片手で、レバー３１０を引きながら、もう一方の手でスタジオアダプタ２１０より上部を移動させることができ、小型のレンズと大型のレンズの交換が１人で、迅速かつ容易に実行できる。
即ち、本発明によれば、放送、業務用ポータブルカメラをスタジオタイプにビルドアップさせ運用する時において、三脚またはペデスタル上でスタジオアダプタの重心位置の変更を、工具を使用せず、ワンタッチで行うことができる。
【００２４】
なお、上記実施例では、２種類のレンズで説明したが、３種類以上でも良く、２以上の重心位置を設定できる。また、同じレンズであっても複数の重心位置を備えて、カメラマン（作業者）の好みにより自由に設定できるようにしても良い。
また、インデックスロッドは２本である必要はなく、いくつでも良い、
さらに、右と左の配置が逆に設けられて良いことも勿論である。
またさらに、ポータブルカメラに限らず、どんなカメラの運用形態でも良い。
また、連結板は、インデックスロッドの端部若しくは頭部の他、中央部若しくは逆の端部にもあっても良い。
【符号の説明】
【００２５】
１０１：スタジオアダプタ部、  １０２：ポータブルカメラ部、  １０３：Ｖエッジ部、  １０４：ＶＦ部、  １０６：ネジ、  １１１、１１２：レンズ部、  １２０：光軸、  ２０１：スタジオアダプタ部、  ２０３：重心位置移動ユニット、  ２１４：スライド溝部、  ３０３、３０３’：Ｖエッジ部、  ３０６：Ｌスライドガイド、  ３０７：Ｒスライドガイド、  ３０９：スライドベース、  ３１０：レバー、  ３１１：インデックスロッド、  ３１２、３１２’：ロッドスプリング、  ３１３：ロッド連結板、  ３１４：Ｒインデックスホール、  ３１５：Ｌインデックスホール、  ３１６：先端部、  ３１７：後端部、  ３２０：スライド連結部、  ３３０：中心線。
【図１】
2010266744.tif 000003
【図２】
2010266744.tif 000004
【図３】
2010266744.tif 000005